(57)【特許請求の範囲】
【請求項１】
複数の物品を前後方向に一列に搭載可能な搭載部と、
前記搭載部に沿って前後に移動可能に設けられた押圧スライダと、
前記押圧スライダを前方に付勢するスライダ付勢部と、
前記搭載部に搭載されている前記物品の残個数を表示報知する残個数表示アタッチメントと、
を備え、
前記搭載部は、上方に向けて開口している箱型の容器であり、
前記残個数表示アタッチメントは、前記残個数を表示する表示部と、ケースと、前記ケースの背面側に設けられているクリップ部材と、を有し、
前記搭載部の後端部は、板面が前後方向を向く壁部を含み、
前記ケースは、前記表示部を後方から透視可能な透視窓部を含み、
前記クリップ部材が前記搭載部の前記後端部の壁部に対して着脱可能に装着されることによって、前記壁部よりも前方において前記ケースが前記搭載部の前記後端部に対して着脱可能に設けられるようになっており、
前記押圧スライダは、
板面が前後を向く起立板と、
前記起立板からそれぞれ後方に向けて起立している一対のリブと、
を有し、
前記一対のリブは、前後方向に対して直交する水平幅方向において互いに離間し且つ対向しており、
前記押圧スライダは、前記一対のリブの対向間隔に前記ケースの少なくとも一部分が収まる位置まで後退可能であるマガジン。
【請求項２】
前記残個数表示アタッチメントは、
先端が前記押圧スライダに連結されているとともに、前記押圧スライダの前進に伴い前記ケースから前方に繰り出される紐状体と、
前記ケースに収容されていて、前記押圧スライダが後退する際に前記紐状体を巻き取る巻取部と、
前記紐状体を巻き取る方向に前記巻取部を付勢する紐付勢部と、
を有し、
前記巻取部からの前記紐状体の繰り出し量に応じて、前記透視窓部を介した前記表示部の表示状態が変化することによって、前記残個数を表示報知する請求項１に記載のマガジン。
【請求項３】
前記紐付勢部は、前記表示部が付された板バネであり、
前記板バネは、それぞれ渦巻き状に巻回された第１巻回部及び第２巻回部を一端側と他端側とに有し、
前記残個数表示アタッチメントは、
前記ケースに収容されているとともに前記第１巻回部が巻回されている第１バネ巻きドラムと、
前記ケースに収容されているとともに前記第２巻回部が巻回されている第２バネ巻きドラムと、
を更に備え、
前記押圧スライダが前進する際には、前記第２バネ巻きドラムが回転することにより、前記板バネにおける前記第１巻回部と前記第２巻回部との間の中間部が前記第２バネ巻きドラムに巻き取られるとともに、前記板バネにおいて前記第１巻回部を構成する部分が前記第１バネ巻きドラムから繰り出され、
前記押圧スライダが後退する際には、前記板バネの付勢力に従って前記第１バネ巻きドラムが回転することにより、前記板バネにおける前記中間部が前記第１バネ巻きドラムに巻き取られるとともに、前記板バネにおいて前記第２巻回部を構成する部分が前記第２バネ巻きドラムから繰り出される請求項２に記載のマガジン。
【請求項４】
前記第１バネ巻きドラムよりも前記第２バネ巻きドラムの方が巻き径が大きい請求項３に記載のマガジン。
【請求項５】
前記第１バネ巻きドラムと前記第２バネ巻きドラムとが上下に並んで配置されている請求項４に記載のマガジン。
【請求項６】
前記巻取部と前記第２バネ巻きドラムとが互いに一体且つ同軸に設けられている請求項３から５のいずれか一項に記載のマガジン。
【請求項７】
前記第１バネ巻きドラム又は前記第２バネ巻きドラムに設けられ、前記押圧スライダが前進する際に前記第１バネ巻きドラム又は前記第２バネ巻きドラムと一体に回転して音を出力する鈴を更に備える請求項３から６のいずれか一項に記載のマガジン。
【請求項８】
前記紐状体の前記先端が連結されているとともに、前記押圧スライダに対して係脱可能に係止固定される係止部材を更に備え、
前記係止部材が前記押圧スライダに係止固定されることにより、前記紐状体の前記先端が前記係止部材を介して前記押圧スライダに連結されている請求項２から７のいずれか一項に記載のマガジン。
【請求項９】
前記押圧スライダには孔が形成されており、
前記係止部材は、前記孔の縁部に対して係止固定される請求項８に記載のマガジン。
【請求項１０】
前記ケースに支持され、前記押圧スライダが前進する際に音を出力する音出力部を更に備えている請求項１から６のいずれか一項に記載のマガジン。
【請求項１１】
前記残個数表示アタッチメントは、前記残個数が、（前記搭載部に対する前記物品の最大搭載数−１０）以下となったことを表示報知する請求項１から１０のいずれか一項に記載のマガジン。
【発明の詳細な説明】
【技術分野】
【０００１】
本発明は、複数の物品が前後方向に一列に搭載されるマガジンに関する。特に、物品の残個数をマガジンの外部から確認可能なマガジンおよび残個数表示アタッチメントに関する。
【背景技術】
【０００２】
コンビニエンスストアなどの店舗では、様々な商品がいわゆる什器に陳列されている。
多様な商品のうち、例えばたばこ商品などの特定の商品を陳列するための什器の棚には、複数の商品を前後方向に一列に搭載するための商品搭載用の容器が複数設置される。この容器は一般的にはマガジン、カートリッジまたはホルダーなどと呼ばれている。以下では、この容器をマガジンと呼称する。
なお、ここでいうたばこ商品とは、実際に喫煙される紙巻たばこではなく、複数の紙巻たばこを収容している直方体状のパッケージを意味している。
【０００３】
ところでマガジンに搭載された商品の残数が減ってくると、店舗従業員は、商品を適宜補充する必要がある。しかし、個々のマガジンにおける商品の残個数を数える作業は繁雑であるため、残個数を数えなくても容易に認識できるようにしたいという要望があった。これに対し、マガジンの搭載部に搭載されている商品が所定個数以下となったことを表示する技術が提案されている。
【０００４】
例えば、特許文献１には、レール部が設けられた第１の底面と当該第１の底面よりも下方に設けられた第２の底面とを有する透明な箱状の搭載部（同文献の枠体）と、レール部に沿って前後に摺動可能に設けられた押圧スライダ（同文献の押し板）と、細長い金属の板を渦巻状に巻回した巻回部を有するバネと、バネの巻回部を収納するバネ収納部と、を備えるマガジンが記載されている。バネの先端は、バネ収容部から前方に引き出され、第１の底面と第２の底面との間の空間に導入されている。このマガジンは、更に、搭載部の前端部における底部に設けられた滑車と、バネの先端と押圧スライダとを接続しているとともに滑車に係合している紐と、を備えている。したがって、バネ及び紐が一連の長尺な索体を構成しており、この索体は、バネ収容部の巻回部から前方に延び、滑車で折り返して後方に延び、押圧スライダに接続されている。そして、押圧スライダが前進することにより巻回部にバネが巻き取られ、押圧スライダが後退することにより巻回部から前方にバネが繰り出されるようになっている。
ここで、バネの一部分には、赤などの目立つ色の樹脂製の被覆部が設けられている。
そして、押圧スライダが後退して巻回部からバネが繰り出された際には、巻回部の最外周部分が、被覆部が設けられていないバネにより構成される状態となる。その一方で、押圧スライダが前進して巻回部にバネが巻き取られた際には、巻回部の最外周部分が被覆部付きのバネにより構成される状態となる。よって、巻回部の最外周部分が被覆部付きのバネにより構成されているか否かを、透明な搭載部の後方から目視で確認することにより、残個数が所定個数以下に減少したか否かを認識することが可能となる。
【先行技術文献】
【特許文献】
【０００５】
【特許文献１】特開２０１５−２４０８３号公報
【発明の概要】
【発明が解決しようとする課題】
【０００６】
しかしながら、特許文献１の技術では、残個数表示のための構成（バネ等）を搭載部に装着して残個数の表示が可能な状態とするためには、バネ収容部に配置された巻回部から引き出したバネの先端を第１の底面と第２の底面との間の狭い空間に挿入して紐に接続する作業などが必要である。よって、残個数の表示が可能な状態とするための準備が容易ではない。
【０００７】
本発明は、上記の課題に鑑みてなされたものであり、残個数表示のための構成を容易に搭載部に装着することが可能な構造のマガジン及び残個数表示アタッチメントを提供するものである。
【課題を解決するための手段】
【０００８】
本発明によれば、複数の物品を前後方向に一列に搭載可能な搭載部と、前記搭載部に沿って前後に移動可能に設けられた押圧スライダと、前記押圧スライダを前方に付勢するスライダ付勢部と、前記搭載部に搭載されている前記物品の残個数を表示報知する残個数表示アタッチメントと、を備え、前記搭載部は、上方に向けて開口している箱型の容器であり、前記残個数表示アタッチメントは、前記残個数を表示する表示部と、ケースと、前記ケースの背面側に設けられているクリップ部材と、を有し、前記搭載部の後端部は、板面が前後方向を向く壁部を含み、前記ケースは、前記表示部を後方から透視可能な透視窓部を含み、前記クリップ部材が前記搭載部の前記後端部の壁部に対して着脱可能に装着されることによって、前記壁部よりも前方において前記ケースが前記搭載部の前記後端部に対して着脱可能に設けられるようになっており、前記押圧スライダは、板面が前後を向く起立板と、前記起立板からそれぞれ後方に向けて起立している一対のリブと、を有し、前記一対のリブは、前後方向に対して直交する水平幅方向において互いに離間し且つ対向しており、前記押圧スライダは、前記一対のリブの対向間隔に前記ケースの少なくとも一部分が収まる位置まで後退可能であるマガジンが提供される。
【発明の効果】
【００１０】
本発明によれば、残個数表示のための構成、すなわち残個数表示アタッチメントを搭載部に対して容易に装着することができる。
【図面の簡単な説明】
【００１１】
【図１】実施形態に係るマガジンの平面図である。
【図２】図１のＡ−Ａ線に沿ったマガジンの側断面図である。
【図３】実施形態に係るマガジンの斜視図である。
【図４】図２の部分拡大図である。
【図５】実施形態に係る残個数表示アタッチメントを示す図であり、このうち（ａ）は側面図、（ｂ）は一部の部品を外した状態で（ａ）とは反対側から視た側面図、（ｃ）は正面図、（ｄ）は背面図である。
【図６】実施形態に係る残個数表示アタッチメントを示す図であり、このうち（ａ）は前方から視た斜視図、（ｂ）は後方から視た斜視図である。
【図７】実施形態に係る残個数表示アタッチメントを前方から視た分解斜視図である。
【図８】実施形態に係る残個数表示アタッチメントの係止部材を示す図であり、このうち（ａ）は平面図、（ｂ）は裏面図、（ｃ）は側面図、（ｄ）は正面図、（ｅ）は背面図である。
【図９】実施形態に係るマガジンの背面図であり、このうち（ａ）は残個数が所定個数よりも多い旨を表示報知する状態を示し、（ｂ）は残個数が所定個数以下である旨を表示報知する状態を示す。
【発明を実施するための形態】
【００１２】
以下、本発明の実施形態について、図面を用いて説明する。なお、すべての図面において、同様の構成要素には同一の符号を付し、適宜に説明を省略する。
本実施形態では、各構成要素の位置関係を分かりやすく説明するために、前後左右上下等の方向を規定して説明する場合がある。しかし、これらの方向の規定は便宜的なものであり、本発明を実施する製品の製造時や使用時の方向を限定するものではない。なお、マガジンに関連する前後は、マガジンの正面側を前方向、背面側を後方向とする。また、マガジンに関連する左右は、マガジンの幅方向であって正面側から観察したときの左右をいう。
また本発明の各種の構成要素は、個々に独立した存在である必要はなく、一つの構成要素が他の構成要素の一部であること、ある構成要素の一部と他の構成要素の一部とが重複していること、等を許容する。
【００１３】
図１は実施形態に係るマガジン１００の平面図である。図２は図１のＡ−Ａ線に沿ったマガジン１００の側断面図である。図３は実施形態に係るマガジン１００の斜視図である。図４は図２の部分拡大図である。
図５、図６及び図７の各図は、実施形態に係る残個数表示アタッチメント３００を示す図である。これらのうち、図５（ａ）は側面図、図５（ｂ）は一部の部品（具体的には、後述する第１ケース部材３１及び鈴ユニット５０）を外した状態で図５（ａ）とは反対側から残個数表示アタッチメント３００を視た側面図、図５（ｃ）は正面図、図５（ｄ）は背面図である。また、図６（ａ）は残個数表示アタッチメント３００を前方から視た斜視図、図６（ｂ）は残個数表示アタッチメント３００を後方から視た斜視図である。また、図７は残個数表示アタッチメント３００を前方から視た分解斜視図である。
図８は実施形態に係る残個数表示アタッチメント３００の係止部材７０を示す図であり、このうち図８（ａ）は平面図、図８（ｂ）は裏面図、図８（ｃ）は側面図、図８（ｄ）は正面図、図８（ｅ）は背面図である。
図９は実施形態に係るマガジン１００の背面図であり、このうち図９（ａ）は残個数が所定個数よりも多い旨を表示報知する状態を示し、図９（ｂ）は残個数が所定個数以下である旨を表示報知する状態を示す。なお、図９（ａ）及び（ｂ）において、押圧スライダ２０の図示は省略している。
【００１４】
図１から図３に示すように、本実施形態に係るマガジン１００は、複数の物品（例えばたばこ商品６０）を前後方向に一列に搭載可能な搭載部１０と、搭載部１０に沿って前後に移動可能に設けられた押圧スライダ２０と、押圧スライダ２０を前方に付勢するスライダ付勢部（例えば板バネ９１（図２、図４））と、搭載部１０に搭載されている物品の残個数を表示報知する残個数表示アタッチメント３００と、を備えている。残個数表示アタッチメント３００は、残個数を表示する表示部（例えば、第１表示部８１（図９（ａ））及び第２表示部８２（図９（ｂ）））と、ケース３０と、を有する。ケース３０は、表示部を後方から透視可能な透視窓部３０ａ（図９（ａ）、図９（ｂ））を含み、搭載部１０の後端部（例えば後壁部１４）に対して着脱可能に設けられる。
【００１５】
ここで、マガジン１００は、１つの（単数の）押圧スライダ２０を有しているが、図１には、説明の便宜上、３つの押圧スライダ２０（２０ａ、２０ｂ、２０ｃ）が示されている。このうち、押圧スライダ２０ａは最も前進した位置（以下、前進位置）における押圧スライダ２０であり、押圧スライダ２０ｃは最も後退した位置（以下、後退位置）における押圧スライダ２０であり、押圧スライダ２０ｂは前進位置と後退位置との間の位置における押圧スライダ２０である。
同様に、図２には３つの押圧スライダ２０ａ、２０ｂ、２０ｃが示され、図３には２つの押圧スライダ２０ａ、２０ｂが示されている。
【００１６】
搭載部１０には所定の上限数（例えば１５個）のたばこ商品６０を搭載可能となっている。
図１及び図２の各々においては、搭載部１０に搭載された複数のたばこ商品６０を二点鎖線で示しているとともに、最後尾のたばこ商品６０ｂの背面に対して押圧スライダ２０ｂの起立板２２の前面が当接した状態を示している。
ただし、図１には１２個のたばこ商品６０が搭載部１０に搭載された状態を示しているのに対し、図２には５個のたばこ商品６０が搭載部１０に搭載された状態を示している。このため、図２に示す押圧スライダ２０ｂの位置は、図１に示す押圧スライダ２０ｂよりも前寄りの位置となっている。
【００１７】
搭載部１０は、前後方向に長尺で上方に向けて開口している箱型の容器であり、底板部１１と、底板部１１の左右両側端に設けられた左右一対の側壁部１２と、底板部１１の後端に設けられた後壁部１４と、当該搭載部１０の前端部に設けられた前側フラップ部材１３と、底板部１１の下面側に設けられたブレード１９（図２）と、を備えている。
底板部１１及び側壁部１２は、それぞれ搭載部１０の前端部から後端部に亘って延在している。
【００１８】
底板部１１には、押圧スライダ２０が前後に摺動可能に連結されている。
底板部１１の具体的な構造は、特に限定されないが、本実施形態の場合、底板部１１には、それぞれ底板部１１の後端部から前端部に亘って延在する左右一対のスリットが形成されている。底板部１１は、平面視において左右一対のスリットによって挟まれた中央部１１ａと、平面視において各スリットを挟んで中央部１１ａから離間している左右一対の側部１１ｂと、を含んでいる。
各側部１１ｂにおいて、スリットに隣接する縁部は、押圧スライダ２０を前後にガイドするガイドレール１１ｄを構成している。
【００１９】
左右の側壁部１２は、底板部１１に対してそれぞれ直交し、且つ、板面が左右を向くように設けられている。より詳細には、各側壁部１２は、底板部１１よりも上方に起立し、且つ、底板部１１よりも下方へ垂下している。
【００２０】
後壁部１４は、二重の板状部、すなわち前板部１４ａ及び後板部１４ｂを含んで構成されている。前板部１４ａは底板部１１の後端部に対して直交するように設けられて、当該前板部１４ａの板面が前後方向を向いている。後板部１４ｂは、前板部１４ａから僅かに後方に離間した位置において前板部１４ａと一体的に設けられて、当該後板部１４ｂの板面が前後方向を向いている。なお、底板部１１は、前板部１４ａと後板部１４ｂとの間隙の下端を閉塞している。
前板部１４ａと後板部１４ｂとの間隙は、当該間隙に差し込まれた商品ラベル（図示略）などを保持するラベルホルダを構成していても良い。
【００２１】
図２及び図３に示すように、前側フラップ部材１３は、前面壁１３ａと、前面壁１３ａの背面側に設けられたラベルホルダ１３ｂと、を有する。前面壁１３ａは、平板状に形成されている。ラベルホルダ１３ｂは、前面壁１３ａと平行に対向する後面壁と、後面壁の左辺と前面壁１３ａの左辺とを繋いでいる左側壁部と、後面壁の右辺と前面壁１３ａの右辺とを繋いでいる右側壁部と、後面壁の下辺と前面壁１３ａの下辺とを繋いでいる底板部と、を有している。
前側フラップ部材１３は、前面壁１３ａとラベルホルダ１３ｂの後面壁との間隙に差し込まれた商品ラベル（図示略）などを保持できるようになっている。
【００２２】
前側フラップ部材１３の左右両側部からは、それぞれ軸部１３ｃが左右に突出した状態に形成されている。左右一対の側壁部１２にそれぞれ形成された軸支孔１２ａに対し、一対の軸部１３ｃがそれぞれ嵌入することによって、前側フラップ部材１３は一対の側壁部１２によって軸支されている。
これにより、前側フラップ部材１３は、前面壁１３ａが略鉛直に起立した起立状態（図１から図３）と、前面壁１３ａが前傾した前傾状態（不図示）と、に揺動可能となっている。
更に、前側フラップ部材１３の左右両側部からは、それぞれスライドピン１３ｄが左右に突出した状態に形成されている。これらスライドピン１３ｄは、左右一対の側壁部１２にそれぞれ形成された弧状のスライド孔１２ｂに入り込んでおり、前側フラップ部材１３が揺動する際には、各スライドピン１３ｄが対応するスライド孔１２ｂによってガイドされるようになっている。
【００２３】
搭載部１０に搭載されたたばこ商品６０のうち、先頭のたばこ商品６０ａが前方に取り出される際には、前側フラップ部材１３が当該たばこ商品６０ａの前面に押されて前傾することにより、当該取り出しを容易に行うことができる。
また、先頭のたばこ商品６０ａが取り出された後は、搭載部１０に残留するたばこ商品６０が押圧スライダ２０によってまとめて前方に押し出される。そして、搭載部１０に残留するたばこ商品６０のうち新たに先頭に位置することとなったたばこ商品６０の前面によって、前側フラップ部材１３のラベルホルダ１３ｂの後面壁の下部（軸支孔１２ａよりも下方に位置する部分）が前方に押される。これにより、前側フラップ部材１３は起立状態に復帰する。
【００２４】
図２に示すように、ブレード１９は、前後に長尺なリブであり、左右一対の側部１１ｂからそれぞれ垂下する状態に設けられている。なお、左右のブレード１９は、前後方向において複数の部分に分断されていてもよく、図２においてはブレード１９が３つの部分に分断されている例を示している。
【００２５】
このように構成された搭載部１０には、複数のたばこ商品６０を縦置きで前後に列をなすように収容可能となっている。例えば、搭載部１０には、標準寸法のたばこ商品６０を最大で１５個搭載可能となっている。なお、たばこ商品６０は銘柄により前後方向寸法が異なるため、搭載部１０におけるたばこ商品６０の搭載数は、銘柄によって異なる場合がある。
【００２６】
搭載部１０は、例えば、無色透明の樹脂などにより構成することができる。ただし、搭載部１０の任意の領域を着色面としてもよい。ただし、後述する前側透視窓部１５（図２、図３）は透明に形成されている。
【００２７】
図３に示すように、押圧スライダ２０は、板面が前後を向く起立板２２と、起立板２２からそれぞれ後方に向けて起立している一対のリブ２３と、を有している。一対のリブ２３は、前後方向に対して直交する水平幅方向において互いに離間し且つ対向している。すなわち、一対のリブ２３は、互いに左右に離間し且つ対向しており、各々の板面が左右を向いている。
【００２８】
更に、押圧スライダ２０は、底板部１１のガイドレール１１ｄに沿って前後に摺動可能な摺動部２１を、当該押圧スライダ２０の下端部に備えている。
摺動部２１は、例えば、水平に配置される平面視矩形状の水平板２１ａと、水平板２１ａの下面に形成された左右一対の挟持フック２１ｂと、を有している。
水平板２１ａの左右縁部の上面からは、それぞれリブ２３が起立している。また、水平板２１ａの前縁部からは起立板２２が起立している。
なお、起立板２２は、下端部を除き、平板状に形成されて略鉛直に起立しているが、起立板２２の下端部は、側面視形状がクランク状に形成されており、当該起立板２２の最下端部は、当該起立板２２の上部よりも後退した位置に配置されている（図２、図４参照）。
【００２９】
水平板２１ａは、左側のリブ２３よりも左側に張り出しているとともに、右側のリブ２３よりも右側に張り出している。
右側の挟持フック２１ｂは、正面視Ｌ字状に形成されているとともに、水平板２１ａの前端から後端に亘って延在している。
水平板２１ａにおいて右側のリブ２３よりも右側に張り出している部分と、右側の挟持フック２１ｂとの協働により、右側のガイドレール１１ｄが上下から挟持されている。これにより、摺動部２１が右側のガイドレール１１ｄに対して前後に摺動可能に係合している。
また、左側の挟持フック２１ｂは、右側の挟持フック２１ｂと左右対称に形成されている。そして、水平板２１ａにおいて左側のリブ２３よりも左側に張り出している部分と、左側の挟持フック２１ｂとの協働により、左側のガイドレール１１ｄが上下から挟持されている。これにより、摺動部２１が左側のガイドレール１１ｄに対して前後に摺動可能に係合している。
こうして、摺動部２１、ひいては押圧スライダ２０の全体が、底板部１１に沿って前後に移動可能となっている。
【００３０】
図２に示すように、押圧スライダ２０を前方に付勢するスライダ付勢部を構成する板バネ９１は、搭載部１０の前端部の下部に配置されたドラム９２に巻回されている。ドラム９２は、回転軸が左右方向となる状態で、搭載部１０に対して回転可能に軸支されている。
板バネ９１の先端部（後端部）は、ドラム９２から後方に引き出されて、押圧スライダ２０に固定されている（図４参照）。
より詳細には、図４に示すように、押圧スライダ２０は、水平板２１ａの下面から下方に突出している係止ピン２１ｄと、係止ピン２１ｄの前方に配置されている挿通環２１ｃと、を備えており、挿通環２１ｃには、当該挿通環２１ｃを前後に貫通する孔２１ｅが形成されている。
板バネ９１の先端部（後端部）には、当該先端部を貫通する状態に形成された係止孔（不図示）が形成されている。そして、板バネ９１の先端部は、孔２１ｅを通して挿通環２１ｃの後方に導かれ、係止孔に係止ピン２１ｄが挿入されることによって、押圧スライダ２０に連結されている。
板バネ９１は、ドラム９２に対して巻き付くように癖付けされた巻き板バネである。板バネ９１がドラム９２に対してより多く巻き付くことによって、ドラム９２から後方に引き出された板バネ９１の長さが短くなるため、押圧スライダ２０は、板バネ９１に引っ張られて（付勢されて）前進する。
板バネ９１は、押圧スライダ２０だけではなく、搭載部１０に搭載されているすべてのたばこ商品６０も前進させるのに十分な大きさの付勢力を有している。
そして、板バネ９１は、先頭のたばこ商品６０ａが搭載部１０から取り出された場合には、残りのたばこ商品６０のうち先頭のたばこ商品６０の前面が前側フラップ部材１３のラベルホルダ１３ｂの後面壁を押して前側フラップ部材１３を起立させるまで、押圧スライダ２０とともに残りのたばこ商品６０を前進させる。
なお、板バネ９１の付勢力は、後述する板バネ３５（図７）の付勢力よりも十分に強く設定されており、板バネ９１は、板バネ３５の付勢に抗して、押圧スライダ２０及び搭載部１０上のたばこ商品６０を前進させる。
【００３１】
次に、本実施形態に係る残個数表示アタッチメント３００について説明する。
残個数表示アタッチメント３００は、複数の物品（例えばたばこ商品６０）を前後方向に一列に搭載可能な搭載部１０と、搭載部１０に沿って前後に移動可能に設けられた押圧スライダ２０と、押圧スライダ２０を前方に付勢するスライダ付勢部（例えば板バネ９１（図２、図４））と、を備えるマガジン１００に装着して用いられ、搭載部１０に搭載されている物品の残個数を表示報知するものである。なお、ここでの説明においては、マガジン１００は、残個数表示アタッチメント３００を包含しておらず、図１から図３に示す構成のうち、残個数表示アタッチメント３００を除いた部分を指す。
残個数表示アタッチメント３００は、残個数を表示する表示部（例えば、第１表示部８１（図９（ａ））及び第２表示部８２（図９（ｂ）））と、ケース３０と、を有する。ケース３０は、表示部を後方から透視可能な透視窓部３０ａ（図９（ａ）、図９（ｂ））を含み、搭載部１０の後端部（例えば後壁部１４）に対して着脱可能に設けられる。
【００３２】
残個数表示アタッチメント３００は、先端が押圧スライダ２０に連結されているとともに押圧スライダ２０の前進に伴いケース３０から前方に繰り出される紐状体３３と、ケース３０に収容されていて押圧スライダ２０が後退する際に紐状体３３を巻き取る巻取部（例えば巻取ドラム３８）と、紐状体３３を巻き取る方向に巻取部を付勢する紐付勢部（例えば板バネ３５）と、を有している（図４、図７等を参照）。
残個数表示アタッチメント３００は、巻取部からの紐状体３３の繰り出し量に応じて、透視窓部３０ａを介した表示部の表示状態が変化することによって、残個数を表示報知する（図９（ａ）、（ｂ）参照）。
【００３３】
図７に示すように、紐付勢部は、板バネ３５である。板バネ３５には、表示部（図９に示す第１表示部８１、第２表示部８２）が付されている。
板バネ３５は、それぞれ渦巻き状に巻回された第１巻回部３５ａ及び第２巻回部３５ｂを一端側と他端側とに有する。すなわち、板バネ３５は、一端側には第１巻回部３５ａを、他端側には第２巻回部３５ｂを、それぞれ有する。
残個数表示アタッチメント３００は、ケース３０に収容されているとともに第１巻回部３５ａが巻回されている第１バネ巻きドラム３６と、ケース３０に収容されているとともに第２巻回部３５ｂが巻回されている第２バネ巻きドラム３７と、を更に備えている。
第１バネ巻きドラム３６及び第２バネ巻きドラム３７は、それぞれケース３０に対して軸支されている。第１バネ巻きドラム３６の回転軸（後述する軸部３６ａ及び３６ｂにより構成される）と第２バネ巻きドラム３７の回転軸（後述する軸部３９ａにより構成される）とは、互いに平行に配置されている。より詳細には、これら回転軸は、それぞれ左右方向に延在している。
板バネ３５の一端は第１バネ巻きドラム３６に接続され、板バネ３５の他端は第２バネ巻きドラム３７に接続されている。第１バネ巻きドラム３６及び第２バネ巻きドラム３７の各々に対する板バネ３５の接続の態様は、板バネ３５の両端側の部分が第１バネ巻きドラム３６及び第２バネ巻きドラム３７によってそれぞれ保持される態様であれば、特に限定されず、固定であっても良いし、係止であっても良いし、摩擦力によって連結している態様であっても良い。
【００３４】
第１巻回部３５ａは板バネ３５の一端を含む部分であり、第２巻回部３５ｂは板バネ３５の他端を含む部分である。なお、以下では、板バネ３５における第１巻回部３５ａと第２巻回部３５ｂとの間の部分を中間部３５ｃと称する。
板バネ３５は、全体が巻き板バネである。第１巻回部３５ａは、より多く第１バネ巻きドラム３６に対して巻き付こうとして、中間部３５ｃを引っ張っている。同様に、第２巻回部３５ｂも、より多く第２バネ巻きドラム３７に対して巻き付こうとして、中間部３５ｃを引っ張っている。
つまり、第１巻回部３５ａ及び第２巻回部３５ｂは、中間部３５ｃを自身の側に引き込もうとして、中間部３５ｃを引っ張り合っている。
ただし、紐状体３３が前方に引っ張られていない状態では、第１巻回部３５ａが第１バネ巻きドラム３６に巻き付こうとする力が、第２巻回部３５ｂが第２バネ巻きドラム３７に巻き付こうとする力に勝り、中間部３５ｃが第１巻回部３５ａに取り込まれるようになっている。
そして、押圧スライダ２０が前進する際には、第２バネ巻きドラム３７が回転することにより、中間部３５ｃが第２バネ巻きドラム３７に巻き取られるとともに、板バネ３５において第１巻回部３５ａを構成する部分が第１バネ巻きドラム３６から繰り出される。
一方、押圧スライダ２０が後退する際には、板バネ３５の付勢力に従って第１バネ巻きドラム３６が回転することにより、板バネ３５における中間部３５ｃが第１バネ巻きドラム３６に巻き取られるとともに、板バネ３５において第２巻回部３５ｂを構成する部分が第２バネ巻きドラム３７から繰り出される。
【００３５】
ここで、第１バネ巻きドラム３６と第２バネ巻きドラム３７とが上下に並んで配置されている。これにより、第１バネ巻きドラム３６と第２バネ巻きドラム３７とが占める平面領域のサイズを抑制できる。より詳細には、第２バネ巻きドラム３７の上方に第１バネ巻きドラム３６が配置されている。
そして、板バネ３５は、中間部３５ｃが第１バネ巻きドラム３６及び第２バネ巻きドラム３７の後方に位置する配置となって、第１バネ巻きドラム３６及び第２バネ巻きドラム３７に対してそれぞれ巻き付いている。
また、第１バネ巻きドラム３６よりも第２バネ巻きドラム３７の方が、巻き径が大きく設定されている。更に、巻取ドラム３８は、第２バネ巻きドラム３７と一体且つ同軸に設けられている。そして、第２バネ巻きドラム３７の周囲には、紐状体３３が巻き付けられている。ここで、巻取ドラム３８に対する紐状体３３の巻回の方向は、第２バネ巻きドラム３７に対する第２巻回部３５ｂの巻回の方向に対する逆方向に設定されている。これにより、押圧スライダ２０が後退するのに伴い第２バネ巻きドラム３７から第２巻回部３５ｂを構成する板バネ３５が中間部３５ｃ側に繰り出される際に、巻取ドラム３８によって紐状体３３が巻き取られる。
また、押圧スライダ２０が前進するのに伴い紐状体３３が前方に繰り出される際に、第２バネ巻きドラム３７が中間部３５ｃの板バネ３５を巻き取る。
【００３６】
本実施形態の場合、巻取ドラム３８は、第２バネ巻きドラム３７と同径に形成されている。また、巻取ドラム３８は左右方向において第２バネ巻きドラム３７と隣接している。なお、巻取ドラム３８の径は、必ずしも第２バネ巻きドラム３７と同径でなくても良い。
【００３７】
残個数表示アタッチメント３００は、紐状体３３の先端が連結されているとともに、押圧スライダ２０に対して係脱可能に係止固定される係止部材７０を更に備えている（図４参照）。
係止部材７０が押圧スライダ２０に係止固定されることにより、紐状体３３の先端が係止部材７０を介して押圧スライダ２０に連結されている。
【００３８】
図８に示すように、係止部材７０は、平板状で且つ平面視矩形状の板状部７１と、板状部７１よりも小さい左右幅を有していて板状部７１の前端から前方に突出しいる平面視矩形状の突出板部７と、を備えている。なお、板状部７１と突出板部７２とは同一平面上に配置されている。
突出板部７２の前端からは前縁リブ７３が上方に向けて起立している。
更に、係止部材７０は、板状部７１と突出板部７２との境界部から下向き、且つ斜め後方に向けて突出している左右一対の係止爪部７５を有している。
平面視における係止部材７０の中央部には、当該係止部材７０に対して紐状体３３の先端を固定するための固定部７４が形成されている。固定部７４の中央には、紐状体３３が当該係止部材７０を貫通可能な固定孔７４ａ（図８（ａ））が形成されている。
【００３９】
固定部７４には、紐状体３３の先端が連結されている。
固定部７４に対する紐状体３３の連結方法は特に限定されない。
一例として、紐状体３３の先端には、固定孔７４ａよりも大径に形成されている玉部材３４が設けられている（図６（ａ）、図７）。そして、玉部材３４が固定孔７４ａの下に位置する状態で紐状体３３の基端側を固定孔７４ａに挿通することによって紐状体３３が固定部７４に対して抜け止めされた状態とすることで、紐状体３３を固定部７４に対して連結することができる。
ただし、紐状体３３には玉部材３４が設けられていなくても良い。この場合、例えば、紐状体３３の先端を玉結びすることによって、紐状体３３の先端を固定孔７４ａよりも大径に形成した上で、上記と同様に紐状体３３が固定部７４に対して抜け止めされた状態とすることで、紐状体３３を固定部７４に対して連結することができる。
【００４０】
ここで、図４に示すように、孔２１ｅは、押圧スライダ２０の下端部を前後に貫通しているだけでなく、水平板２１ａの前端部（ただし、起立板２２の最下端部の後側に隣接する部位）を上下に貫通している。
係止部材７０は、押圧スライダ２０に対して、次のように固定される。
先ず、係止部材７０の前縁リブ７３及び突出板部７２を、水平板２１ａの上側から孔２１ｅに差し込む。このとき、係止部材７０は、当該係止部材７０の前部（前縁リブ７３及び突出板部７２を含む部分）が下に位置し、後部が上に位置するように傾斜した状態となっている。
次に、係止部材７０の後部を押し下げて、係止部材７０の板状部７１を水平板２１ａの上面に沿わせる。この際に、クリック感を伴って係止爪部７５が孔２１ｅに入り込むことにより、係止爪部７５が水平板２１ａにおける孔２１ｅの後縁の部分に対して係止されるとともに、前縁リブ７３が押圧スライダ２０の最下端部の前面に対して係止される。
こうして、係止部材７０が押圧スライダ２０に対して係止固定された状態となる。
すなわち、押圧スライダ２０には孔２１ｅが形成されており、係止部材７０は、孔２１ｅの縁部に対して係止固定される。
なお、既存のマガジンの押圧スライダ２０にも同様の孔２１ｅが形成されている場合も多いため、係止部材７０は、既存のマガジンの押圧スライダ２０に対して容易に装着することができる。
【００４１】
なお、係止部材７０を押圧スライダ２０から取り外す動作は、以下のように行うことができる。
先ず、係止部材７０の後部を上に持ち上げることによって孔２１ｅの縁部に対する係止爪部７５及び前縁リブ７３の係合状態を解除する。
次に、係止部材７０を上に持ち上げることによって、突出板部７２及び前縁リブ７３を孔２１ｅから引き抜く。
こうして、係止部材７０を押圧スライダ２０から取り外すことができる。
【００４２】
図７に示すように、ケース３０は、例えば、当該ケース３０の左半部を構成する第１ケース部材３１と、当該ケース３０の右半部を構成する第２ケース部材３２と、を備えている。第１ケース部材３１と第２ケース部材３２とを相互に組み合わせ、且つ相互に固定することにより、ケース３０が構成されている。
第１ケース部材３１と第２ケース部材３２とを相互に固定する方法は特に限定されないが、例えば、固定ネジ６２を用いて行うことができる。本実施形態の場合、固定ネジ６２の個数が１個である。このため、ケース３０の組み付け作業が容易である。
【００４３】
ケース３０は、押圧スライダ２０とケース３０とが側面視において重複する位置まで押圧スライダ２０後退した際に、押圧スライダ２０と干渉しない形状及び配置とされている。
図５（ｃ）、図６（ａ）及び（ｂ）に示すように、ケース３０の左右の側面３０Ｌ、３０Ｒは、それぞれ平坦に形成されているとともに、互いに平行に配置されている。ケース３０は、左右幅方向に扁平な形状の筐体である。すなわち、ケース３０の上下寸法よりも左右幅が小さい。更には、ケース３０の前後幅よりも左右幅が小さく設定されている。
【００４４】
そして、残個数表示アタッチメント３００のケース３０の左右幅は、一対のリブ２３の対向間隔よりも短い寸法に設定されている。また、ケース３０が後壁部１４に装着された状態でのケース３０の下端は、摺動部２１の水平板２１ａ及び係止部材７０よりも上方に位置している。
これにより、図１に示すように、押圧スライダ２０は、一対のリブ２３の対向間隔にケース３０の少なくとも一部分が収まる位置まで後退可能となっている。よって、マガジン１００に残個数表示アタッチメント３００を付加することにより搭載部１０に搭載可能なたばこ商品６０の最大数が減少してしまうことが、抑制されるようになっている。
【００４５】
図６（ｂ）に示すように、ケース３０の左側の側面３０Ｌは、第１領域３０Ｌａと、第１領域３０Ｌａよりも右側の側面３０Ｒに近い第２領域３０Ｌｂと、を含んでおり、第１領域３０Ｌａ及び第２領域３０Ｌｂの各々が側面３０Ｒに対して平行に対向している。
なお、上述したケース３０の左右幅は、第１領域３０Ｌａと側面３０Ｒとの距離であるものとする。
また、側面３０Ｌは第１ケース部材３１により構成され、側面３０Ｒは第２ケース部材３２により構成されている。
【００４６】
図７に示すように、第１バネ巻きドラム３６は、当該第１バネ巻きドラム３６の軸心上に軸部３６ａと軸部３６ｂ（図６（ａ）参照）とを有している。軸部３６ａは第１バネ巻きドラム３６の一方の側面から突出しており、軸部３６ｂは第１バネ巻きドラム３６の他方の側面から突出している。
また、ドラム部材３９は、当該ドラム部材３９の軸心上に軸部３９ａを有し、軸部３９ａの両端は、ドラム部材３９の左右の側面からそれぞれ突出している。
ケース３０は、側面３０Ｌ（特に第２領域３０Ｌｂ）を貫通していて軸部３６ａを軸支する軸支孔３１ａ（図６（ｂ））と、側面３０Ｒを貫通していて軸部３６ｂを軸支する軸支孔３１ｂ（図６（ａ））と、を当該ケース３０の上部に有している。
更に、ケース３０は、側面３０Ｌ（特に第１領域３０Ｌａ）を貫通していて軸部３９ａの一端部を軸支する軸支孔３１ｂ（図６（ｂ））と、側面３０Ｒを貫通していて軸部３９ａの他端部を軸支する軸支孔３２ｂ（図６（ａ））と、を当該ケース３０の下部に有している。
【００４７】
また、ケース３０の前面下部であって、巻取ドラム３８の下部の正面に位置する部位には、紐状体３３をケース３０の内部から前方に引き出すための開口が形成されている。より詳細には、この開口には、金属製の挿通管６１が設けられており、紐状体３３は、挿通管６１（図７、図６（ａ））に挿通されて前方に導出されている。なお、紐状体３３は、搭載部１０の幅方向における中央において、前方に向けてまっすぐに引き出されている。
【００４８】
残個数表示アタッチメント３００は、更に、ケース３０を搭載部１０の後壁部１４に対して着脱可能に装着するためのクリップ部材４０を備えている。
図７に示すように、クリップ部材４０は、平板状の第１板状部４１と、第１板状部４１と対向している湾曲形状の第２板状部４２と、第１板状部４１と第２板状部４２とを連結している湾曲形状の連結部４３と、を備えている。
第１板状部４１において第２板状部４２側とは反対側の面には、クリップ部材４０をケース３０に固定するための被固定部４４が突出した状態に形成されている。
図７に示すように、第１ケース部材３１及び第２ケース部材３２の後部には、協働で被固定部４４を保持する固定部３１ｃ、３２ｃが形成されている。第１ケース部材３１と第２ケース部材３２とが組み合わされてケース３０が形成されることにより、固定部３１ｃと固定部３２ｃとにより被固定部４４が左右からくわえ込まれる結果、クリップ部材４０がケース３０に対して後方への抜け止めがなされた状態となって該ケース３０に固定されている。
【００４９】
クリップ部材４０の第１板状部４１と第２板状部４２とによって後壁部１４の後板部１４ｂが前後から挟まれる状態となるように、第１板状部４１を前板部１４ａと後板部１４ｂとの間隙に差し込むことにより、クリップ部材４０が後壁部１４に装着されており、ひいては、ケース３０が後壁部１４に装着されている。なお、第１板状部４１と第２板状部４２との対向間隔は、後板部１４ｂの壁厚よりも小さく設定されており、クリップ部材４０は、第１板状部４１と第２板状部４２とによって弾性的に後板部１４ｂを挟持する。
クリップ部材４０を上に持ち上げることにより、クリップ部材４０、ひいてはケース３０を後壁部１４から取り外すことができる。
このように、ケース３０が設けられる搭載部の後端部（後壁部１４）は、板面が前後方向を向く壁部（後板部１４ｂ）を含む。そして、ケース３０は、壁部の前後を挟持するクリップ部（クリップ部材４０）によって、搭載部１０の後端部に着脱可能に設けられている。
ケース３０が搭載部１０に取り付けられた状態において、ケース３０は、前板部１４ａの前面側に隣接して配置される。また、本実施形態の場合、ケース３０は、搭載部１０の幅方向（左右方向）における中央部に配置される。
なお、既存のマガジンにも同様の後壁部１４が形成されている場合が多いため、クリップ部材４０、ひいてはケース３０は、既存のマガジンの後壁部１４に対して容易に装着することができる。
【００５０】
後壁部１４は、前板部１４ａと後板部１４ｂとの間隙に差し込まれた第１板状部４１の左右移動を規制する一対の位置決め壁１４ｃ、１４ｄを、前板部１４ａと後板部１４ｂとの間隙に有している。位置決め壁１４ｃ、１４ｄは、互いに平行に、それぞれ上下に延在している。
左右方向において位置決め壁１４ｃと位置決め壁１４ｄとの距離は、第１板状部４１の左右幅よりも若干大きい程度に設定されている。
【００５１】
残個数表示アタッチメント３００は、押圧スライダ２０が前進する際に音を出力する音出力部として、例えば以下に説明する鈴ユニット５０（図７）を備えている。この鈴ユニット５０は、ケース３０に支持されている（図９参照）。
図７に示すように、より詳細には、鈴ユニット５０は、鈴５１と、鈴５１に設けられている保持軸５２と、バネ部５３と、を備えている。
鈴５１は、中空の空洞部材５１ａと、空洞部材５１ａの内部に収容されている玉部材（不図示）と、を有している。空洞部材５１ａの内部空間は、空洞部材５１ａに形成されたスリットからなる放音孔を介して、外部空間と連通している。
保持軸５２は、空洞部材５１ａの外面から突出した状態となるように、当該保持軸５２の一端が空洞部材５１ａの外面に固定されている。
保持軸５２の他端側には、コイルバネ状のバネ部５３が設けられている。バネ部５３の中心は筒状をなしており、バネ部５３の中心に第１バネ巻きドラム３６の軸部３６ａが差し込まれることによって、鈴ユニット５０が第１バネ巻きドラム３６を介してケース３０によって支持されている。
【００５２】
このように、残個数表示アタッチメント３００は、第１バネ巻きドラム３６に設けられた鈴５１を備えている。この鈴５１は、押圧スライダ２０が前進する際に第１バネ巻きドラム３６と一体に回転して音を出力する。
鈴５１は、バネ部５３を介して保持軸５２に保持されているため、押圧スライダ２０の前進の停止後も鈴５１の振動を継続させることができるため、音の出力期間を延長させることが可能となる。
なお、空洞部材５１ａは、内方に向けて突起したエンボスを有していることも好ましい。このようにすることによって、空洞部材５１ａ内で玉部材が転動する際に玉部材がエンボスに衝突することにより、鈴５１が良好に音を発生することが可能となる。
【００５３】
本実施形態では、鈴５１が第１バネ巻きドラム３６に設けられている例を説明したが、鈴５１は第２バネ巻きドラム３７と一体に設けられていても良い。この場合、鈴５１は、押圧スライダ２０が前進する際に第１バネ巻きドラム３６と一体に回転して音を出力する。
【００５４】
板バネ３５に付されている第１表示部８１及び第２表示部８２は、互いに視覚的に識別可能なものであり、それぞれが第１巻回部３５ａの最外周部を構成する状態のときには、ケース３０の背面側に形成された透視窓部３０ａを介して、後方から視認可能となる。
【００５５】
ここで、透視窓部３０ａは、ケース３０が後壁部１４に装着された状態において、マガジン１００の後方から視認可能な位置に配置されている。透視窓部３０ａのより詳細な配置及び透視窓部３０ａが存在する範囲は特に限定されないが、本実施形態の場合、例えば、ケース３０の背面において、後方から視たときにクリップ部材４０よりも上に位置する部分によって透視窓部３０ａが構成されているものとする（図９（ａ）、（ｂ）参照）。例えば、ケース３０における第１バネ巻きドラム３６の後方の部分が透視窓部３０ａを構成している。
ケース３０は、少なくとも透視窓部３０ａが、透明な樹脂などのように透視可能な材料によって構成されている。例えば、ケース３０は、全体が透明な樹脂により構成されている。
なお、搭載部１０の後方から視たときに、クリップ部材４０及び後壁部１４を介してケース３０内部の表示部を良好に視認できる場合は、ケース３０において中間部３５ｃの後方の部分や第２バネ巻きドラム３７の後方の部分も透視窓部３０ａに含めても良い。
ただし、以下の説明では、透視窓部３０ａが、ケース３０における第１バネ巻きドラム３６の後方の部分であるものとする。
【００５６】
一例として、板バネ３５の一端側（第１バネ巻きドラム３６に対する接続端側）の部分が所定の長さ領域に亘って着色（例えば赤色や青色などの目立つ色に着色）されていることにより第２表示部８２となっており、板バネ３５における他の部分は非着色状態の第１表示部８１となっていることが挙げられる。この場合、第２表示部８２は、板バネ３５に付された着色部であり、第１表示部８１は、板バネ３５の本来の外面の色（銀色など）によって第２表示部８２との識別性を持たせた部分である。なお、第２表示部８２を構成する着色部は、板バネ３５の両面に付されていても良いが、少なくとも、第１巻回部３５ａの径方向外方を向く面（第１バネ巻きドラム３６の径方向外方を向く面でもある）に付されていれば良い。
【００５７】
このように板バネ３５の一端側の部分において所定の長さ領域に亘って第２表示部８２が付されている場合は、搭載部１０に搭載されているたばこ商品６０の残数が所定個数よりも多い状態では、透視窓部３０ａを介して視認される表示部は、第１表示部８１となる（図９（ａ））。よって、コンビニエンスストアなどの店舗の店員は、透視窓部３０ａを介して後方から視認される表示部が第１表示部８１であることを確認した場合は、搭載部１０におけるたばこ商品６０の残数が所定個数よりも多いことを認識することができる。
一方、搭載部１０に搭載されているたばこ商品６０の残数が所定個数以下となった場合には、透視窓部３０ａを介して視認される表示部は、第２表示部８２に切り替わる（図９（ｂ））。すなわち、それまで第１巻回部３５ａにおいて第２表示部８２の周囲に巻回されていた第１表示部８１が第２巻回部３５ｂ側または中間部３５ｃに繰り出される結果、第２表示部８２が第１巻回部３５ａの外面に露出する。コンビニエンスストアなどの店舗の店員は、透視窓部３０ａを介して後方から視認される表示部が第２表示部８２であることを確認した場合は、搭載部１０におけるたばこ商品６０の残数が所定以下となったことを認識することができる。
換言すれば、残個数表示アタッチメント３００は、巻取ドラム３８からの紐状体３３の繰り出し量に応じて、透視窓部３０ａを介した表示部の表示状態が変化することによって、残個数を表示報知する。
【００５８】
なお、第１表示部８１についても、第２表示部８２と同様に、板バネ３５に施された着色部（ただし第２表示部８２とは異なる色の着色部）であっても良い。また、第１表示部８１及び第２表示部８２は、着色されたテープなどであっても良い。
【００５９】
ここで、より詳細には、例えば、搭載部１０におけるたばこ商品６０の残個数が６個以上の場合（換言すれば、搭載部１０に補充可能なたばこ商品６０の個数が９個以下の場合）には、透視窓部３０ａを介して後方から視認される表示部が第１表示部８１となるように、板バネ３５において第１表示部８１が付された範囲が設定されている。
その一方で、搭載部１０におけるたばこ商品６０の残個数が５個以下の場合（換言すれば、搭載部１０に補充可能なたばこ商品６０の個数が１０個以上の場合）には、透視窓部３０ａを介して後方から視認される表示部が第２表示部８２となるように、板バネ３５において第２表示部８２が付された範囲が設定されている。
すなわち、残個数表示アタッチメント３００は、残個数が、（搭載部１０に対する物品の最大搭載数−１０）以下となったことを表示報知する。
この場合、コンビニエンスストアなどの店舗の店員は、透視窓部３０ａを介して後方から視認される表示部が第２表示部８２であることを確認した場合は、搭載部１０に１カートン分（つまり１０個）のたばこ商品６０を補充可能であることを認識することができる。
【００６０】
なお、板バネ９１には、例えば、板バネ３５におけるのと同様に、着色部と非着色部とが形成されており、マガジン１００の前方から板バネ９１を視認することによって、搭載部１０におけるたばこ商品６０の残個数を認識できるようになっている。例えば、搭載部１０の前面には、底板部１１の中央部１１ａの前端部と連続的に形成された前側透視窓部１５が形成されており、前側透視窓部１５の後方にドラム９２が配置されている。そして、マガジン１００の前方から、前側透視窓部１５を介して、ドラム９２に巻回されている板バネ９１のうち最外周の部分の色を確認することによって、搭載部１０におけるたばこ商品６０の残個数を認識可能となっている。
【００６１】
マガジン１００の一つの使用態様としては、上下方向および左右方向に多数の棚を備える什器に、マガジン１００を設置してマガジン積層構造体を構成する態様が挙げられる。ブレード１９は、マガジン１００を什器の棚に設置する際に、什器の棚の底面に設けられた凹部に篏合させてマガジン１００の設置姿勢を安定化させるために用いられる。什器に設置されたマガジン１００の設置の姿勢を安定化させるための手段はこれに限定されず、たとえば、什器の棚の底面に凸部を設ける一方で、当該凸部に篏合する凹部をマガジン１００の底板部１１の下面に設けておき、これらを篏合させてもよい。
【００６２】
次に、動作を説明する。
【００６３】
先ず、搭載部１０にたばこ商品６０を搭載するために、押圧スライダ２０を後退位置まで後退させる際には、紐状体３３の張力が緩む。このため、ケース３０内の板バネ３５は、下側の第２バネ巻きドラム３７から繰り出されるとともに、上側の第１バネ巻きドラム３６に巻き取られる。また、この際に、第２バネ巻きドラム３７と一体の巻取ドラム３８が、紐状体３３を巻き取る。
ここで、第１バネ巻きドラム３６に板バネ３５が巻き取られる結果、上側の第１巻回部３５ａの最外周を構成する板バネ３５は、第１表示部８１となる。つまり、マガジン１００の後方から透視窓部３０ａを介して視認される表示部は、第１表示部８１となる。
【００６４】
その後、マガジン１００が什器に設置された状態で、順次に先頭のたばこ商品６０ａが取り出されていく毎に、押圧スライダ２０は順次に前進する。また、押圧スライダ２０の前進に伴い、係止部材７０を介して押圧スライダ２０に連結されている紐状体３３が前方に繰り出される。紐状体３３が前方に繰り出されることにより、ドラム部材３９が回転し、板バネ３５は、第２バネ巻きドラム３７に巻き取られるとともに第１バネ巻きドラム３６から繰り出される。
そして、搭載部１０におけるたばこ商品６０の残個数が５個以下となる（例えば図２の状態となる）ことにより、透視窓部３０ａを介して後方から視認される表示部は、第２表示部８２に切り替わる。
このため、コンビニエンスストアなどの店舗の店員は、残個数が５個以下となったこと、及び、搭載部１０に１カートン分のたばこ商品６０を補充可能であることを認識できる。
【００６５】
以上のような実施形態によれば、残個数表示アタッチメント３００は、残個数を表示する表示部と、ケース３０と、を有し、ケース３０は、表示部を後方から透視可能な透視窓部３０ａを含み、搭載部１０の後端部に対して着脱可能に設けられる。よって、残個数表示のための構成である残個数表示アタッチメント３００を搭載部１０に対して容易に装着することができる。
【００６６】
また、下側の第２バネ巻きドラム３７の巻き径が上側の第１バネ巻きドラム３６の巻き径よりも大きいことにより、第１バネ巻きドラム３６に巻き付いている第１巻回部３５ａによる巻取力を弱めることができる。すなわち、第１巻回部３５ａが押圧スライダ２０を後方に引っ張る力を弱めることができる。
換言すれば、第１バネ巻きドラム３６の径と板バネ３５のバネ力が一定の場合は、第２バネ巻きドラム３７を大径にシフトさせることで、板バネ３５が押圧スライダ２０を後方に引っ張る力を弱めることができる。
よって、板バネ３５が押圧スライダ２０の前方推進力を阻害してしまうことを、抑制することが可能である。
【００６７】
また、鈴ユニット５０（鈴５１）は、搭載部１０の後端部に設けられるケース３０によって支持されている。このため、鈴５１の音が周囲のマガジンや周囲のマガジンに搭載されたたばこ商品６０によって遮られることなく、より直接的に店員の耳に届くようにできる。
【００６８】
以上、図面を参照して各実施形態を説明したが、これらは本発明の例示であり、上記以外の様々な構成を採用することもできる。
【００６９】
例えば、上記においては、表示部が、板バネ３５における所定の長さ領域に亘って付された着色部を含む例を説明したが、表示部は、搭載部１０におけるたばこ商品６０の残個数を表示報知する数字又はその他の文字情報を表示するものであっても良い。すなわち、例えば、搭載部１０におけるたばこ商品６０の残個数の各々に合わせて、透視窓部３０ａを介して後方から視認される板バネ３５の所定の領域に、残個数に対応する数字を付しておくことができる。ただし、たばこ商品６０は、銘柄に応じて厚み方向の寸法が異なる場合がある。したがって、標準的な形状のたばこ商品６０の厚みを勘案して、板バネ３５に上記数字を付すことが好ましい。
【００７０】
また、上記においては、ケース３０が搭載部１０の幅方向（左右方向）における中央部に配置される例を説明したが、ケース３０が搭載部１０の幅方向における一方にオフセットされた位置に配置され、これにより、後退位置の押圧スライダ２０とケース３０との干渉を回避できるようになっていても良い。
【００７１】
また、上記においては、鈴ユニット５０がバネ部５３を有する例を説明したが、鈴ユニット５０は、バネ部５３を有しておらず、単に軸部３６ａに固定されていても良い。なお、鈴ユニット５０は、第１バネ巻きドラム３６の軸部３６ａに対して着脱可能に設けられていることが好ましい。
【００７２】
また、音出力部は、鈴５１を含むものに限らず、押圧スライダ２０の前進を検出して電気的に音声を出力するスピーカを含む装置であっても良いし、押圧スライダ２０の前進に連動して鳴動するオルゴールを含んで構成されていても良い。
【００７３】
本実施形態は以下の技術思想を包含する。
（１）複数の物品を前後方向に一列に搭載可能な搭載部と、前記搭載部に沿って前後に移動可能に設けられた押圧スライダと、前記押圧スライダを前方に付勢するスライダ付勢部と、前記搭載部に搭載されている前記物品の残個数を表示報知する残個数表示アタッチメントと、を備え、前記残個数表示アタッチメントは、前記残個数を表示する表示部と、ケースと、を有し、前記ケースは、前記表示部を後方から透視可能な透視窓部を含み、前記搭載部の後端部に対して着脱可能に設けられるマガジン。
（２）前記押圧スライダは、板面が前後を向く起立板と、前記起立板からそれぞれ後方に向けて起立している一対のリブと、を有し、前記一対のリブは、前後方向に対して直交する水平幅方向において互いに離間し且つ対向しており、前記押圧スライダは、前記一対のリブの対向間隔に前記ケースの少なくとも一部分が収まる位置まで後退可能である（１）に記載のマガジン。
（３）前記残個数表示アタッチメントは、先端が前記押圧スライダに連結されているとともに、前記押圧スライダの前進に伴い前記ケースから前方に繰り出される紐状体と、前記ケースに収容されていて、前記押圧スライダが後退する際に前記紐状体を巻き取る巻取部と、前記紐状体を巻き取る方向に前記巻取部を付勢する紐付勢部と、を有し、前記巻取部からの前記紐状体の繰り出し量に応じて、前記透視窓部を介した前記表示部の表示状態が変化することによって、前記残個数を表示報知する（１）又は（２）に記載のマガジン。
（４）前記紐付勢部は、前記表示部が付された板バネであり、前記板バネは、それぞれ渦巻き状に巻回された第１巻回部及び第２巻回部を一端側と他端側とに有し、前記残個数表示アタッチメントは、前記ケースに収容されているとともに前記第１巻回部が巻回されている第１バネ巻きドラムと、前記ケースに収容されているとともに前記第２巻回部が巻回されている第２バネ巻きドラムと、を更に備え、前記押圧スライダが前進する際には、前記第２バネ巻きドラムが回転することにより、前記板バネにおける前記第１巻回部と前記第２巻回部との間の中間部が前記第２バネ巻きドラムに巻き取られるとともに、前記板バネにおいて前記第１巻回部を構成する部分が前記第１バネ巻きドラムから繰り出され、前記押圧スライダが後退する際には、前記板バネの付勢力に従って前記第１バネ巻きドラムが回転することにより、前記板バネにおける前記中間部が前記第１バネ巻きドラムに巻き取られるとともに、前記板バネにおいて前記第２巻回部を構成する部分が前記第２バネ巻きドラムから繰り出される（３）に記載のマガジン。
（５）前記第１バネ巻きドラムよりも前記第２バネ巻きドラムの方が巻き径が大きい（４）に記載のマガジン。
（６）前記第１バネ巻きドラムと前記第２バネ巻きドラムとが上下に並んで配置されている（５）に記載のマガジン。
（７）前記巻取部と前記第２バネ巻きドラムとが互いに一体且つ同軸に設けられている（４）から（６）のいずれか一項に記載のマガジン。
（８）前記紐状体の前記先端が連結されているとともに、前記押圧スライダに対して係脱可能に係止固定される係止部材を更に備え、前記係止部材が前記押圧スライダに係止固定されることにより、前記紐状体の前記先端が前記係止部材を介して前記押圧スライダに連結されている（３）から（７）のいずれか一項に記載のマガジン。
（９）前記押圧スライダには孔が形成されており、前記係止部材は、前記孔の縁部に対して係止固定される（８）に記載のマガジン。
（１０）前記ケースに支持され、前記押圧スライダが前進する際に音を出力する音出力部を更に備えている（１）から（９）のいずれか一項に記載のマガジン。
（１１）前記第１バネ巻きドラム又は前記第２バネ巻きドラムに設けられ、前記押圧スライダが前進する際に前記第１バネ巻きドラム又は前記第２バネ巻きドラムと一体に回転して音を出力する鈴を更に備える（４）から（９）のいずれか一項に記載のマガジン。
（１２）前記ケースが設けられる前記搭載部の前記後端部は、板面が前後方向を向く壁部を含み、
前記ケースは、前記壁部の前後を挟持するクリップ部によって、前記搭載部の前記後端部に着脱可能に設けられている（１）から（１１）のいずれか一項に記載のマガジン。
（１３）前記残個数表示アタッチメントは、前記残個数が、（前記搭載部に対する前記物品の最大搭載数−１０）以下となったことを表示報知する（１）から（１２）のいずれか一項に記載のマガジン。
（１４）複数の物品を前後方向に一列に搭載可能な搭載部と、前記搭載部に沿って前後に移動可能に設けられた押圧スライダと、前記押圧スライダを前方に付勢するスライダ付勢部と、を備えるマガジンに装着して用いられ、前記搭載部に搭載されている前記物品の残個数を表示報知する残個数表示アタッチメントであって、前記残個数を表示する表示部と、ケースと、を有し、前記ケースは、前記表示部を後方から透視可能な透視窓部を含み、前記搭載部の後端部に対して着脱可能に設けられる残個数表示アタッチメント。
【符号の説明】
【００７４】
１０  搭載部
１０ａ  本体部
１１  底板部
１１ａ  中央部
１１ｂ  側部
１１ｄ  ガイドレール
１２  側壁部
１２ａ  軸支孔
１２ｂ  スライド孔
１３  前側フラップ部材
１３ａ  前面壁
１３ｂ  ラベルホルダ
１３ｃ  軸部
１３ｄ  スライドピン
１４  後壁部
１４ａ  前板部
１４ｂ  後板部
１４ｃ、１４ｄ  位置決め壁
１５  前側透視窓部
１９  ブレード
２０  押圧スライダ
２１  摺動部
２１ａ  水平板
２１ｂ  挟持フック
２１ｃ  挿通環
２１ｄ  係止ピン
２１ｅ  孔
２２  起立板
２３  リブ
３０  ケース
３０ａ  透視窓部
３０Ｌ  側面
３０Ｌａ  第１領域
３０Ｌｂ  第２領域
３０Ｒ  側面
３１  第１ケース部材
３１ａ  軸支孔
３１ｃ  固定部
３２  第２ケース部材
３２ａ  軸支孔
３２ｂ  軸支孔
３２ｃ  固定部
３３  紐状体
３４  玉部材
３５  板バネ（紐付勢部）
３５ａ  第１巻回部
３５ｂ  第２巻回部
３５ｃ  中間部
３６  第１バネ巻きドラム
３６ａ  軸部
３６ｂ  軸部
３７  第２バネ巻きドラム
３８  巻取ドラム
３９  ドラム部材
３９ａ  軸部
４０  クリップ部材
４１  第１板状部
４２  第２板状部
４３  連結部
４４  被固定部
５０  鈴ユニット（音出力部）
５１  鈴
５１ａ  空洞部材
５２  保持軸
５３  バネ部
６１  挿通管
６２  固定ネジ
７０  係止部材
７１  板状部
７２  突出板部
７３  前縁リブ
７４  固定部
７４ａ  固定孔
７５  係止爪部
８１  第１表示部
８２  第２表示部
９１  板バネ（スライダ付勢部）
９２  ドラム
１００  マガジン
３００  残個数表示アタッチメント
【図１】
0006792332.tif 000002
【図２】
0006792332.tif 000003
【図３】
0006792332.tif 000004
【図４】
0006792332.tif 000005
【図５】
0006792332.tif 000006
【図６】
0006792332.tif 000007
【図７】
0006792332.tif 000008
【図８】
0006792332.tif 000009
【図９】
0006792332.tif 000010